【手続補正書】
【提出日】平成21年1月30日(2009.1.30)
【手続補正１】
【補正対象書類名】特許請求の範囲
【補正対象項目名】全文
【補正方法】変更
【補正の内容】
【特許請求の範囲】
【請求項１】
複数の端末装置と、前記複数の端末装置を管理する第１の管理装置とが第１のネットワークにより接続された第１のシステムが複数設けられ、
前記複数の第１のシステムの第１の管理装置と、前記複数の第１のシステムを管理する第２の管理装置とが第２のネットワークにより接続された第２のシステムが設けられ、
前記第１のシステムの第１の管理装置には、前記第１のシステムに登録されたユーザーのユーザー情報と、前記ユーザーのプレイ内容を集計した集計情報とを含む第１の情報が格納された第１のテーブルが設けられ、
前記第２のシステムの第２の管理装置には、前記第１の情報と、該第１の情報に対応する前記第１の管理装置の情報を含む第２の情報と、が格納された第２のテーブルが設けられ、
前記第１のシステムの第１の管理装置の制御手段は、前記端末装置に入力されたユーザー情報を前記端末装置から受信し、受信した前記ユーザー情報を前記第１のテーブルに格納されたユーザー情報と照合するユーザー照合手段を有し、
前記第１のシステムの端末装置の制御手段は、前記ユーザー照合手段により照合された場合には、前記第１のテーブルに格納された集計情報に基づいてゲームを実行し、前記ユーザー照合手段により照合されなかった場合には、その旨を表示するゲーム実行手段を有するゲームシステムであって、
前記第２のシステムの第２の管理装置に前記第２のネットワークを介してアクセス可能な情報処理端末が設けられ、
前記情報処理端末の制御手段は、
入力操作に応答して、前記第１の情報及び前記第２の情報を変更する情報処理端末の変更手段と、
前記情報処理端末の変更手段により変更された第１および第２の情報を、前記第２のネットワークを介して前記第２の管理装置に送信する情報処理端末の送信手段とを有し、
前記第２のシステムの第２の管理装置の制御手段は、
前記情報処理端末の送信手段により送信された前記変更された第１および第２の情報に基づいて、前記第２のテーブルに格納された前記第１および第２の情報を更新する第２のテーブルの更新手段と、
所定時間毎に前記複数の第１のシステムの第１の管理装置に、前記変更された第２の情報に基づいて前記第２のテーブルに格納された前記変更された第１の情報を送信する第２の管理装置の送信手段とを有し、
前記複数の第１のシステムの第１の管理装置の制御手段は、
前記第２の管理装置の送信手段により送信された前記変更された第１の情報により、前記第１のテーブルに格納された前記第１の情報を更新する第１のテーブルの更新手段を有し、
前記情報処理端末の変更手段により、前記第１の情報に対応する前記第１の管理装置の情報である前記第２の情報が変更された場合には、
前記第２のシステムの第２の管理装置の送信手段は、変更前の第２の情報に対応する第１のシステムの第１の管理装置に、該第１の管理装置が管理する第１のテーブルに記憶されている第１の情報を削除又は使用不可能とする指示情報を送信し、変更前の第２の情報に対応する第１のシステムの第１の管理装置の制御手段は、該指示情報に応じて処理を第１のテーブルに対して実行し、
前記第２のシステムの第２の管理装置の送信手段は、変更後の第２の情報に対応する第１のシステムの第１の管理装置に、該第１の管理装置が管理する第１のテーブルに第１の情報を追加又は使用可能とする指示情報を送信し、変更後の第２の情報に対応する第１のシステムの第１の管理装置の制御手段は、該指示情報に応じた処理を第１のテーブルに対して実行する
ことを特徴とするゲームシステム。
【請求項２】
複数の端末装置と、前記複数の端末装置を管理する第１の管理装置とが第１のネットワークにより接続された第１のシステムが複数設けられ、
前記複数の第１のシステムの第１の管理装置と、前記複数の第１のシステムを管理する第２の管理装置とが第２のネットワークにより接続された第２のシステムが設けられ、
前記第１のシステムの第１の管理装置には、前記第１のシステムに登録されたユーザーのユーザー情報と、前記ユーザーのプレイ内容を集計した集計情報とを含む第１の情報が格納された第１のテーブルが設けられ、
前記第２のシステムの第２の管理装置には、前記第１の情報と、該第１の情報に対応する前記第１の管理装置の情報を含む第２の情報と、が格納された第２のテーブルが設けられ、
前記第１のシステムの第１の管理装置の制御手段が、前記端末装置に入力されたユーザー情報を前記端末装置から受信し、受信した前記ユーザー情報を前記第１のテーブルに格納されたユーザー情報と照合するユーザー照合処理と、
前記第１のシステムの端末装置の制御手段が、前記ユーザー照合手段により照合された場合には、前記第１のテーブルに格納された集計情報に基づいてゲームを実行し、前記ユーザー照合手段により照合されなかった場合には、その旨を表示するゲーム実行処理とを有するゲームシステム制御方法であって、
前記第２のシステムの第２の管理装置に前記第２のネットワークを介してアクセス可能な情報処理端末が設けられ、
前記情報処理端末の制御手段が、入力操作に応答して、前記第１の情報及び前記第２の情報を変更する情報処理端末の変更処理と、
前記情報処理端末の制御手段が、前記情報処理端末の変更手段により変更された第１および第２の情報を、前記第２のネットワークを介して前記第２の管理装置に送信する情報処理端末の送信処理と、
前記第２のシステムの第２の管理装置の制御手段が、前記情報処理端末の送信手段により送信された前記変更された第１および第２の情報に基づいて、前記第２のテーブルに格納された前記第１および第２の情報を更新する第２のテーブルの更新処理と、
前記第２のシステムの第２の管理装置の制御手段が、所定時間毎に前記複数の第１のシステムの第１の管理装置に、前記変更された第２の情報に基づいて前記第２のテーブルに格納された前記変更された第１の情報を送信する第２の管理装置の送信処理と、
前記複数の第１のシステムの第１の管理装置の制御手段が、前記第２の管理装置の送信手段により送信された前記変更された第１の情報により、前記第１のテーブルに格納された前記第１の情報を更新する第１のテーブルの更新処理とを有し、
前記情報処理端末の変更処理により、前記第１の情報に対応する前記第１の管理装置の情報である前記第２の情報が変更された場合には、
前記第２のシステムの第２の管理装置の送信処理により、変更前の第２の情報に対応する第１のシステムの第１の管理装置に、該第１の管理装置が管理する第１のテーブルに記憶されている第１の情報を削除又は使用不可能とする指示情報を送信し、変更前の第２の情報に対応する第１のシステムの第１の管理装置の制御手段は、該指示情報に応じて処理を第１のテーブルに対して実行し、
前記第２のシステムの第２の管理装置の送信処理により、変更後の第２の情報に対応する第１のシステムの第１の管理装置に、該第１の管理装置が管理する第１のテーブルに第１の情報を追加又は使用可能とする指示情報を送信し、変更後の第２の情報に対応する第１のシステムの第１の管理装置の制御手段は、該指示情報に応じた処理を第１のテーブルに対して実行する
ことを特徴とするゲームシステム制御方法。
【請求項３】
複数の端末装置と、前記複数の端末装置を管理する管理装置とがネットワークにより接続されたシステムが複数設けられ、前記複数のシステムの管理装置とネットワークにより接続され、前記複数のシステムを管理する管理サーバーであって、
前記複数のシステムに登録されたユーザーのユーザー情報と前記ユーザーのプレイ内容を集計した集計情報とを含む第１の情報と、該第１の情報に対応する前記管理装置の情報を含む第２の情報と、が格納されたテーブルが設けられ、
情報処理端末の送信手段から送信された前記変更された第１および第２の情報に基づいて、前記テーブルに格納された前記第１および第２の情報を更新するテーブルの更新手段と、
所定時間毎に前記複数のシステムの管理装置に、前記変更された第２の情報に基づいて前記テーブルに格納された前記変更された第１の情報を送信する送信手段とを有し、
前記端末装置は、該端末装置が接続された管理装置に登録された前記第１の情報に基づいてゲームが実行可能であり、
前記情報処理端末により、前記第１の情報に対応する前記管理装置の情報である前記第２の情報が変更された場合には、
前記送信手段は、変更前の第２の情報に対応する管理装置に、該管理装置が管理するテーブルに第１の情報を削除又は使用不可能とする指示情報を送信し、
前記送信手段は、変更後の第２の情報に対応する管理装置に、該管理装置が管理するテーブルに第１の情報を追加又は使用可能とする指示情報を送信する
ことを特徴とする管理サーバー。